(57)【要約】【課題】従来に比して玄関部を有効的に活用できるとともに、この玄関部の通風性および採光性を向上できる建物を提供することを目的とする。【解決手段】玄関部３の下階部３ａは、玄関ポーチ１０と、玄関室１１と、下階部３ａから上階部３ｂに吹き抜ける下階収納室１２とを備え、上階部３ｂは、下階収納室１２の上部に面する上階収納室１３と、ルーフバルコニー１４とを備えており、下階収納室１２の上部には天窓１５が設けられており、玄関室１１と下階収納室１２との間に設けられた仕切り壁１６には玄関室１１と下階収納室１２とを連通する出入り口１６ａが形成されており、上階収納室１３と前記下階収納室１２の上部との間に設けられる壁１７には開口部１７ａが形成されていることを特徴とする建物１。これにより、玄関部を、単に屋外と建物本体内との間を行き来するだけの空間とすることなく、有効的に活用できる。【選択図】図１
2010053640.tif 000002
【特許請求の範囲】
【請求項１】
建物本体と、この建物本体に隣接する玄関部とからなる建物において、
前記玄関部は、下階部と上階部とからなり、
前記下階部は、玄関ポーチと、この玄関ポーチに連なる玄関室と、この玄関室に連なるとともに、下階部から上階部に吹き抜ける下階収納室とを備えており、
前記上階部は、前記下階収納室の上部に面する上階収納室と、この上階収納室に連なるルーフバルコニーとを備えており、
前記下階収納室の上部には天窓が設けられており、
前記玄関室と下階収納室との間には仕切り壁が設けられており、この仕切り壁には前記玄関室と下階収納室とを連通する出入り口が形成されており、
前記上階収納室と前記下階収納室の上部との間に設けられる壁には、これら上階収納室と下階収納室の上部とを連通する開口部が形成されていることを特徴とする建物。
【請求項２】
請求項１に記載の建物において、
前記玄関室は、玄関ホールと、この玄関ホールよりも一段低い土間床とを有しており、
前記玄関室と下階収納室との間には、前記出入り口を介して、これら玄関室と下階収納室とを行き来するための通路部が設けられており、
この通路部の路面は、前記玄関室の土間床の高さと略等しい高さとなるように設定されていることを特徴とする建物。
【請求項３】
請求項１または２に記載の建物において、
前記玄関室および下階収納室には、前記建物本体の内部に設けられた下階の部屋へ通じる出入り口がそれぞれ設けられていることを特徴とする建物。
【請求項４】
請求項３に記載の建物において、
前記下階収納室には、前記建物本体の内部に設けられるとともに、前記下階の部屋に隣接する他の部屋へ通じる出入り口が設けられていることを特徴とする建物。
【請求項５】
請求項１〜４のいずれか一項に記載の建物において、
前記上階収納室には、前記建物本体の内部に設けられた上階の部屋へ通じる出入り口が設けられていることを特徴とする建物。
【発明の詳細な説明】
【技術分野】
【０００１】
本発明は、建物本体と、この建物本体に隣接する玄関部とからなる建物に関する。
【背景技術】
【０００２】
従来、住宅等の建物における玄関部は、玄関部の土間床で靴を脱いで玄関ホールから建物内へと入るように構成されており、単に屋外と建物内との間を行き来するための空間として認知される場合が多い（例えば、特許文献１参照）。
【特許文献１】特開２００５−２７３２４０号公報
【発明の開示】
【発明が解決しようとする課題】
【０００３】
ところが、上記従来の玄関部は、単に屋外と建物内との間を行き来するためだけの空間でしかなかったため、絶対に必要な空間ではあるものの、その必要性以外に有効活用されていない場合があった。
また、上記従来の玄関部は、玄関ドアを開放することによって屋外からの空気を建物内に取り入れたり、日差しを玄関部内に取り入れることができるが、外気や日差しを取り入れるに際して玄関ドアを常に開放させておくことは、防犯上やプライバシー保護の観点から好ましくないという問題がある。
【０００４】
本発明の課題は、従来に比して玄関部を有効的に活用できるとともに、この玄関部の通風性および採光性を向上できる建物を提供することを目的とする。
【課題を解決するための手段】
【０００５】
請求項１に記載の発明は、例えば図１〜図４に示すように、建物本体２と、この建物本体２に隣接する玄関部３とからなる建物１において、
前記玄関部３は、下階部３ａと上階部３ｂとからなり、
前記下階部３ａは、玄関ポーチ１０と、この玄関ポーチ１０に連なる玄関室１１と、この玄関室１１に連なるとともに、下階部３ａから上階部３ｂに吹き抜ける下階収納室１２とを備えており、
前記上階部３ｂは、前記下階収納室１２の上部に面する上階収納室１３と、この上階収納室１３に連なるルーフバルコニー１４とを備えており、
前記下階収納室１２の上部には天窓１５が設けられており、
前記玄関室１１と下階収納室１２との間には仕切り壁１６が設けられており、この仕切り壁１６には前記玄関室１１と下階収納室１２とを連通する出入り口１６ａが形成されており、
前記上階収納室１３と前記下階収納室１２の上部との間に設けられる壁１７には、これら上階収納室１３と下階収納室１２の上部とを連通する開口部１７ａが形成されていることを特徴とする。
【０００６】
請求項１に記載の発明によれば、前記下階部３ａは、前記玄関室１１に連なるとともに、下階部３ａから上階部３ｂに吹き抜ける下階収納室１２とを備えており、前記上階部３ｂは、前記下階収納室１２の上部に面する上階収納室１３と、この上階収納室１３に連なるルーフバルコニー１４とを備えているので、従来に比して、前記玄関部３を、単に屋外と建物本体２内との間を行き来するためだけの空間とすることなく、有効的に活用することができる。しかも、前記玄関室１１と下階収納室１２とは、前記仕切り壁１６に形成された出入り口１６ａを介して行き来することができるとともに、前記上階収納室１３と前記下階収納室１２の上部とは、前記開口部１７ａを介して連通しているので、使い勝手が良い。すなわち、例えば前記下階収納室１２に、外出用のコートや靴、傘を収納しておいたり、姿見を設置しておいたりすることで、この下階収納室１２を、外出前や帰宅後に使用する身支度室として利用でき、さらに、この下階収納室１２で身支度をした後や帰宅後に、前記出入り口１６ａを介して、前記玄関室１１と下階収納室１２との間を容易に移動することができるので、使い勝手が良い。また、例えば、前記ルーフバルコニー１４で乾かしていた洗濯物を取り入れた後に、前記開口部１７ａを介して、前記上階収納室１３から下階収納室１２へと送ることができたり、前記開口部１７ａを介して、前記下階収納室１２と上階収納室１３との間で、居住者同士がコミュニケーションをとったりできるので、使い勝手が良い。また、前記玄関室１１と下階収納室１２との間には仕切り壁１６が設けられていることから、前記玄関室１１から前記下階収納室１２の中が見えないように遮蔽することができるので、前記玄関室１１の外観性を向上できるとともに、前記下階収納室１２の内部が見られずにプライバシー保護の観点から優れる。
また、前記下階収納室１２の上部には天窓１５が設けられているので、この天窓から前記下階収納室１２へと日差しを取り入れることができ、採光性に優れる。さらに、この天窓１５が前記下階収納室１２の上部に設けられるとともに、前記玄関室１１と下階収納室１２とが、前記仕切り壁１６に形成された出入り口１６ａを介して連通し、さらに、前記上階収納室１３と前記下階収納室１２の上部とが、前記開口部１７ａを介して連通していることから、例えば前記玄関室１１側やルーフバルコニー１４側、天窓１５側から取り込んだ外気を、前記玄関部３内に確実に行き渡らせることができるので、通風性に優れる。
【０００７】
請求項２に記載の発明は、例えば図１〜図３に示すように、請求項１に記載の建物１において、
前記玄関室１１は、玄関ホール１１ｂと、この玄関ホール１１ｂよりも一段低い土間床１１ｃとを有しており、
前記玄関室１１と下階収納室１２との間には、前記出入り口１６ａを介して、これら玄関室１１と下階収納室１２とを行き来するための通路部１８が設けられており、
この通路部１８の路面は、前記玄関室１１の土間床１１ｃの高さと略等しい高さとなるように設定されていることを特徴とする。
【０００８】
請求項２に記載の発明によれば、前記玄関室１１と下階収納室１２との間には、前記出入り口１６ａを介して、これら玄関室１１と下階収納室１２とを行き来するための通路部１８が設けられているので、この通路部１８を通じて前記玄関室１１と下階収納室１２とを簡単に行き来することができ、屋外で使用する物品を前記下階収納室１２へと搬入しやすく、搬出しやすい。
また、前記通路部１８の路面は、前記玄関室１１の土間床１１ｃの高さと略等しい高さとなるように設定されているので、例えば、自転車や重量物等も前記下階収納室１２へと搬入および搬出がしやすい。
【０００９】
請求項３に記載の発明は、例えば図１および図３に示すように、請求項１または２に記載の建物１において、
前記玄関室１１および下階収納室１２には、前記建物本体２の内部に設けられた下階の部屋２ａへ通じる出入り口１１ａ，１２ａがそれぞれ設けられていることを特徴とする。
【００１０】
請求項３に記載の発明によれば、前記玄関室１１および下階収納室１２には、前記建物本体２の内部に設けられた下階の部屋２ａへ通じる出入り口１１ａ，１２ａがそれぞれ設けられているので、前記下階の部屋２ａと玄関室１１との行き来がしやすくなるとともに、前記下階の部屋２ａと下階収納室１２との間での物品の搬入および搬出がしやすく、使い勝手が良い。
また、前記出入り口１１ａ，１２ａを通じて、前記下階の部屋２ａと玄関部３との間で空気を流通させることができるので、前記玄関部３内だけでなく、建物１内の通風性を向上させることができる。
【００１１】
請求項４に記載の発明は、例えば図１および図３に示すように、請求項３に記載の建物１において、
前記下階収納室１２には、前記建物本体２の内部に設けられるとともに、前記下階の部屋２ａに隣接する他の部屋２ｂへ通じる出入り口１２ｂが設けられていることを特徴とする。
【００１２】
請求項４に記載の発明によれば、前記下階収納室１２には、前記建物本体２の内部に設けられるとともに、前記下階の部屋２ａに隣接する他の部屋２ｂへ通じる出入り口１２ｂが設けられているので、この出入り口１２ｂを通じて前記下階収納室１２と他の部屋２ｂとの間を簡単に行き来することができ、物品の搬入および搬出がしやすい。
また、前記出入り口１２ｂを通じて、前記他の部屋２ｂと玄関部３との間で空気を流通させることができるので、前記玄関部３内だけでなく、建物１内の通風性を、より向上させることができる。
【００１３】
請求項５に記載の発明は、例えば図１および図４に示すように、請求項１〜４のいずれか一項に記載の建物１において、
前記上階収納室１３には、前記建物本体２の内部に設けられた上階の部屋２ｃへ通じる出入り口１３ａが設けられていることを特徴とする。
【００１４】
請求項５に記載の発明によれば、前記上階収納室１３には、前記建物本体２の内部に設けられた上階の部屋２ｃへ通じる出入り口１３ａが設けられているので、この出入り口１３ａを通じて前記上階収納室１３と上階の部屋２ｃとの間を簡単に行き来することができ、物品の搬入および搬出がしやすい。
また、前記出入り口１３ａを通じて、前記上階の部屋２ｃと上階収納室１３との間で空気を流通させることができるので、前記玄関部３内だけでなく、建物１内の通風性を、さらに向上させることができる。
【発明の効果】
【００１５】
本発明によれば、建物の玄関部を構成する下階部は、玄関ポーチと、この玄関ポーチに連なる玄関室と、この玄関室に連なるとともに、下階部から上階部に吹き抜ける下階収納室とを備えており、上階部は、下階収納室の上部に面する上階収納室と、この上階収納室に連なるルーフバルコニーとを備えているので、従来に比して、玄関部を、単に屋外と建物本体内との間を行き来するためだけの空間とすることなく、有効的に活用することができる。しかも、玄関室と下階収納室とは、仕切り壁に形成された出入り口を介して行き来することができるとともに、上階収納室と下階収納室の上部とは、開口部を介して連通しているので、使い勝手が良い。すなわち、例えば下階収納室に、外出用のコートや靴、傘を収納しておいたり、姿見を設置しておいたりすることで、この下階収納室を、外出前や帰宅後に使用する身支度室として利用でき、さらに、この下階収納室で身支度をした後や帰宅後に、仕切り壁に形成された出入り口を介して、玄関室と下階収納室との間を容易に移動することができるので、使い勝手が良い。また、例えば、ルーフバルコニーで乾かしていた洗濯物を取り入れた後に、開口部を介して、上階収納室から下階収納室へと送ることができたり、開口部を介して、下階収納室と上階収納室との間で、居住者同士がコミュニケーションをとったりできるので、使い勝手が良い。また、玄関室と下階収納室との間には仕切り壁が設けられていることから、玄関室から下階収納室の中が見えないように遮蔽することができるので、玄関室の外観性を向上できるとともに、下階収納室の内部が見られずにプライバシー保護の観点から優れる。
また、下階収納室の上部には天窓が設けられているので、この天窓から下階収納室へと日差しを取り入れることができ、採光性に優れる。さらに、この天窓が下階収納室の上部に設けられるとともに、玄関室と下階収納室とが、仕切り壁に形成された出入り口を介して連通し、さらに、上階収納室と下階収納室の上部とが、開口部を介して連通していることから、例えば玄関室側やルーフバルコニー側、天窓側から取り込んだ外気を、玄関部内に確実に行き渡らせることができるので、通風性に優れる。
【発明を実施するための最良の形態】
【００１６】
以下、図面を参照して本発明の実施の形態について説明する。
【００１７】
本実施の形態の建物１は、図１〜図４に示すように、建物本体２と、この建物本体２に隣接する玄関部３とからなるものであり、前記玄関部３は、下階部３ａと上階部３ｂとからなり、前記下階部３ａは、玄関ポーチ１０と、この玄関ポーチ１０に連なる玄関室１１と、この玄関室１１に連なるとともに、下階部３ａから上階部３ｂに吹き抜ける下階収納室１２とを備えており、前記上階部３ｂは、前記下階収納室１２の上部に面する上階収納室１３と、この上階収納室１３に連なるルーフバルコニー１４とを備えている。
そして、前記下階収納室１２の上部には天窓１５が設けられている。
また、前記玄関室１１と下階収納室１２との間には仕切り壁１６が設けられており、この仕切り壁１６には前記玄関室１１と下階収納室１２とを連通する出入り口１６ａが形成されている。
さらに、前記上階収納室１３と前記下階収納室１２の上部との間に設けられる壁１７には、これら上階収納室１３と下階収納室１２の上部とを連通する開口部１７ａが形成されている。
【００１８】
ここで、本実施の形態の建物本体２は、下階部と上階部とからなり、この下階部は、図３に示すように、少なくともリビング・ダイニング・キッチン等の共有スペースである下階の部屋２ａと、この下階の部屋２ａに隣接する他の部屋２ｂとを備えている。
一方、上階部は、図４に示すように、寝室等として用いられる上階の部屋２ｃを備えている。
また、これら下階部および上階部には、前記下階の部屋２ａや他の部屋２ｂ、上階の部屋２ｃの他にも、例えば風呂やトイレ、洗面所等の水周り室や、子ども部屋、客間等を備えているものとする。
【００１９】
なお、前記他の部屋２ｂは、前記下階の部屋２ａよりも天井の低い低天井収納室となっている。具体的には、天井高が０．９〜１．４ｍ程度に設定されており、人が低天井収納室に入って、何とか作業ができる最低限の高さを確保することができるとともに、このように天井高を必要最小限に抑えることで、建物１の高さが高くなることによって隣接する建物に及ぼす日照減少等の影響を極力少なくすることができる。
【００２０】
また、本実施の形態の建物１の屋根は、前記建物本体２の上部に設けられる屋根と、前記玄関部３の上部に設けられる屋根４とで別々に構成されている。すなわち、前記建物本体２の高さよりも、前記玄関部３の高さが低くなるように設定されており、前記建物本体２の屋根よりも低い位置に、前記玄関部３の屋根４が設けられている。
また、前記建物本体２の屋根も、前記玄関部３の屋根４も、ともに切妻屋根の様式で構成されており、前記建物本体２の妻側の側面に前記玄関部３が設けられている。
【００２１】
さらに、前記玄関部３の屋根４は、図１に示すように、屋根面が棟の両側に流れる両流れ部４ａと、この両流れ部４ａを構成する双方の屋根面のうち、一方の屋根面の傾斜方向下方に延在する延長線上に、開放部４ｂを介して配置される片流れ部４ｃとを備えており、前記開放部４ｂの下方に前記ルーフバルコニー１４が配置されている。
なお、前記両流れ部４ａを構成する双方の屋根面のうちの一方の屋根面とは、前記両流れ部４ａを構成する双方の屋根面のうち、この両流れ部４ａの棟から傾斜方向下端部までの距離が短い方の屋根面を指している。
【００２２】
一方、前記玄関部３の玄関ポーチ１０は、図１に示すように、前記屋根４の片流れ部４ｃの下方に配置されている。
また、前記玄関室１１は、図１〜図３に示すように、前記建物本体２の下階の部屋２ａの床面と連続する高さの床面に設定される玄関ホール１１ｂと、この玄関ホール１１ｂよりも一段低い土間床１１ｃと、前記玄関ポーチ１０との間に設けられる玄関ドア１１ｄとを有している。また、前記玄関ホール１１ｂの近傍には靴等を収納できる玄関収納を設けるようにしてもよい。
【００２３】
また、前記下階収納室１２の上部には、上述のように天窓１５が設けられている。すなわち、図１に示すように、下階部３ａから上階部３ｂに吹き抜ける下階収納室１２の上部は、前記屋根４の両流れ部４ａの他方の屋根面の下方に位置しており、この他方の屋根面に前記天窓１５が設けられている。
この天窓１５は、前記下階収納室１２の上部から前記他方の屋根面にかけて設けられるとともに、複数の壁部１５ｂによって周囲が形成される空洞部１５ａの上端部に設けられている。
また、この天窓１５は、透光性を有する部材と、これを保持する枠体等によって構成されており、自動または手動（リモコン）によって開閉するように設定されており、採光性および採風性に優れる。
【００２４】
また、前記玄関室１１と前記下階収納室１２との間には、図１および図３に示すように、前記仕切り壁１６が設けられており、この仕切り壁１６には、上述のように出入り口１６ａが形成されている。
さらに、図３に示すように、この仕切り壁１６の壁面から前記下階収納室１２側に突出する一方の壁体１６ｂと、この一方の壁体１６ｂの突出方向の端部に連結されるとともに、該壁体１６ｂの突出方向と直交して配置される他方の壁体１６ｂとによって平面視略Ｔ字型の枠を形成し、この枠内に棚板や扉を設けることで、前記下階収納室１２内に、複数の収納棚１６ｃ，１６ｄが形成されている。
【００２５】
なお、前記上階収納室１３の床は、前記仕切り壁１６の上部に配置されて、前記下階収納室１２側に張り出しており、この張出部は、図１および図３に示すように、前記平面視略Ｔ字型の枠を形成する複数の壁体１６ｂによって支持できるようになっている。
【００２６】
また、前記下階収納室１２には、前記仕切り壁１６に対向する壁の前方にクローゼット１２ｃが設けられている。
また、前記下階収納室１２の床面は、前記建物本体２の下階の部屋２ａの床面と連続する高さの床面に設定されている。さらに、この下階収納室１２の床面は、前記下階の部屋２ａに隣接する他の部屋２ｂの床面とも連続する高さに設定されている。
【００２７】
さらに、前記玄関室１１と下階収納室１２との間には、図２および図３に示すように、前記出入り口１６ａを介して、これら玄関室１１と下階収納室１２とを行き来するための通路部１８が設けられており、この通路部１８の路面は、前記玄関室１１の土間床１１ｃの高さと略等しい高さとなるように設定されている。また、この通路部１８と前記土間床１１ｃは一体的に形成されている。
なお、この通路部１８は、前記玄関部３の妻側の側面に配置されるとともに、この玄関部３を形成する外壁３ｃに沿って配置されており、この外壁３ｃに沿って長尺に形成されている。つまり、この通路部１８は、前記玄関室１１の土間床１１ｃから前記下階収納室１２のクローゼット１２ｃの近傍まで延在している。
さらに、前記外壁３ｃには、前記玄関部３内に日差しや外気を取り込む窓３ｄが複数設けられており、これら窓３ｄから差し込む光によって前記通路部１８の周囲を明るくすることができるようになっている。
【００２８】
そして、このように前記玄関室１１と下階収納室１２との間に、前記出入り口１６ａを介して、これら玄関室１１と下階収納室１２とを行き来するための通路部１８が設けられているので、この通路部１８を通じて前記玄関室１１と下階収納室１２とを簡単に行き来することができ、屋外で使用する物品を前記下階収納室１２へと搬入しやすく、搬出しやすい。
また、前記通路部１８の路面は、前記玄関室１１の土間床１１ｃの高さと略等しい高さとなるように設定されているので、例えば、自転車や重量物等も前記下階収納室１２へと搬入および搬出がしやすい。
【００２９】
一方、前記玄関室１１および下階収納室１２には、図１および図３に示すように、前記建物本体２の内部に設けられた下階の部屋２ａへ通じる出入り口１１ａ，１２ａがそれぞれ設けられている。また、これら出入り口１１ａ，１２ａには、それぞれ戸が設けられている。
【００３０】
そして、このように前記玄関室１１および下階収納室１２に、前記建物本体２の内部に設けられた下階の部屋２ａへ通じる出入り口１１ａ，１２ａがそれぞれ設けられているので、前記下階の部屋２ａと玄関室１１との行き来がしやすくなるとともに、前記下階の部屋２ａと下階収納室１２との間での物品の搬入および搬出がしやすく、使い勝手が良い。
また、前記出入り口１１ａ，１２ａを通じて、前記下階の部屋２ａと玄関部３との間で空気を流通させることができるので、建物１内の通風性を向上させることができる。
【００３１】
また、前記下階収納室１２には、前記建物本体２の内部に設けられるとともに、前記下階の部屋２ａに隣接する他の部屋２ｂへ通じる出入り口１２ｂが設けられている。また、この出入り口１２ｂには戸が設けられている。
これによって、この出入り口１２ｂを通じて前記下階収納室１２と他の部屋２ｂとの間を簡単に行き来することができ、物品の搬入および搬出がしやすい。また、前記出入り口１２ｂを通じて、前記他の部屋２ｂと玄関部３との間で空気を流通させることができるので、建物１内の通風性を向上させることができる。
【００３２】
一方、前記上階部３ｂの上階収納室１３は、上述のように、前記仕切り壁１６の上部に配置されており、この上階収納室１３の床は前記下階収納室１２側に張り出しているので、図１に示すように、前記玄関室１１と下階収納室１２とにまたがるようにして設けられている。
また、この上階収納室１３には、上述のように、この上階収納室１３と前記下階収納室１２の上部との間に壁１７が設けられており、この壁１７には、図１および図２に示すように、これら上階収納室１３と下階収納室１２の上部とを連通する開口部１７ａが形成されている。
【００３３】
また、この上階収納室１３には、前記建物本体２の内部に設けられた上階の部屋２ｃへ通じる出入り口１３ａが設けられている。また、この出入り口１３ａには戸が設けられている。
これによって、この出入り口１３ａを通じて前記上階収納室１３と上階の部屋２ｃとの間を簡単に行き来することができ、物品の搬入および搬出がしやすい。また、前記出入り口１３ａを通じて、前記上階の部屋２ｃと上階収納室１３との間で空気を流通させることができるので、建物１内の通風性を向上させることができる。
【００３４】
さらに、この上階収納室１３には、前記ルーフバルコニー１４との間に、透光性を有する部材が設けられた窓等の出入り口１３ｂが設けられている。したがって、前記ルーフバルコニー１４上の前記屋根４の開放部４ｂから差し込む日差しを、前記出入り口１３ｂを通じて上階収納室１３に取り込むことができるとともに、前記出入り口１３ｂを開放することによって、前記開放部４ｂから流れ込む外気を、前記上階収納室１３へと流入させることができる。
また、前記上階収納室１３に取り込まれた日差しは、前記壁１７の開口部１７ａを介して前記下階収納室１２の上部まで差し込むこととなる。この時、この下階収納室１２の上部には前記天窓１５が設けられているので、この天窓１５から差し込む日差しと、前記開口部１７ａから差し込む日差しとを同時に、前記下階収納室１２へと取り込むことができる。
【００３５】
また、この上階収納室１３には、図示しない家具が配置されており、前記開口部１７ａの前に配置される家具の高さは前記開口部１７ａの下部よりも低くなるように設定されていることが望ましい。これによって、家具によって前記開口部１７ａを塞ぐことを防ぐことができるので、前記玄関部３内の通風性の低下を確実に防ぐことができる。
【００３６】
さらに、前記ルーフバルコニー１４は、前記屋根４の開放部４ｂの下方に配置されるとともに、前記玄関室１１の上方に配置されている。なお、このルーフバルコニー１４には、図４に示すように手摺り壁１４ａが設けられている。
【００３７】
本実施の形態によれば、前記下階部３ａは、前記玄関室１１に連なるとともに、下階部３ａから上階部３ｂに吹き抜ける下階収納室１２とを備えており、前記上階部３ｂは、前記下階収納室１２の上部に面する上階収納室１３と、この上階収納室１３に連なるルーフバルコニー１４とを備えているので、従来に比して、前記玄関部３を、単に屋外と建物本体２内との間を行き来するためだけの空間とすることなく、有効的に活用することができる。
しかも、前記玄関室１１と下階収納室１２とは、前記仕切り壁１６に形成された出入り口１６ａを介して行き来することができるとともに、前記上階収納室１３と前記下階収納室１２の上部とは、前記開口部１７ａを介して連通しているので、使い勝手が良い。
すなわち、例えば前記下階収納室１２に、外出用のコートや靴、傘を収納しておいたり、姿見を設置しておいたりすることで、この下階収納室１２を、外出前や帰宅後に使用する身支度室として利用でき、さらに、この下階収納室１２で身支度をした後や帰宅後に、前記出入り口１６ａを介して、前記玄関室１１と下階収納室１２との間を容易に移動することができるので、使い勝手が良い。
また、例えば、前記ルーフバルコニー１４で乾かしていた洗濯物を取り入れた後に、前記開口部１７ａを介して、前記上階収納室１３から下階収納室１２へと送ることができたり、前記開口部１７ａを介して、前記下階収納室１２と上階収納室１３との間で、居住者同士がコミュニケーションをとったりできるので、使い勝手が良い。
また、前記玄関室１１と下階収納室１２との間には仕切り壁１６が設けられていることから、前記玄関室１１から前記下階収納室１２の中が見えないように遮蔽することができるので、前記玄関室１１の外観性を向上できるとともに、前記下階収納室１２の内部が見られずにプライバシー保護の観点から優れる。
また、前記下階収納室１２の上部には天窓１５が設けられているので、この天窓から前記下階収納室１２へと日差しを取り入れることができ、採光性に優れる。
さらに、この天窓１５が前記下階収納室１２の上部に設けられるとともに、前記玄関室１１と下階収納室１２とが、前記仕切り壁１６に形成された出入り口１６ａを介して連通し、さらに、前記上階収納室１３と前記下階収納室１２の上部とが、前記開口部１７ａを介して連通していることから、例えば前記玄関室１１側やルーフバルコニー１４側、天窓１５側から取り込んだ外気を、前記玄関部３内に確実に行き渡らせることができるので、通風性に優れる。
【図面の簡単な説明】
【００３８】
【図１】本発明の建物を示す側断面図である。
【図２】図１に示す建物を示す正断面図である。
【図３】図１に示す建物の下階部を示す平断面図である。
【図４】図１に示す建物の上階部を示す平断面図である。
【符号の説明】
【００３９】
１  建物
２  建物本体
３  玄関部
３ａ  下階部
３ｂ  上階部
１０  玄関ポーチ
１１  玄関室
１２  下階収納室
１３  上階収納室
１４  ルーフバルコニー
１５  天窓
１６  仕切り壁
１６ａ  出入り口
１７  壁
１７ａ  開口部
【図１】
2010053640.tif 000003
【図２】
2010053640.tif 000004
【図３】
2010053640.tif 000005
【図４】
2010053640.tif 000006